(57)【要約】【課題】簡単な構造で、出入口に対して扉を気密状態に保持することができる防火扉装置を提供する。【解決手段】扉の上端に固定した可動部材２１とハンガー２の下端に固定した連結部材２０とを、水平軸２４によって扉の厚み方向に可動部材２１が移動可能に連結し、連結部材２０に対し可動部材２１を扉の厚み方向の一方向に付勢する圧縮ばね２３を設け、可動部材２１には、鉛直軸２９に支持されたガイドローラ３０を設け、ハンガー２による吊り下げ部を包むボックス内にガイドレールを設けて、このガイドレールにガイドローラ３０が当接するように構成し、ガイドレールには、扉が閉じられた状態においてガイドローラ３０が嵌入する嵌入孔を形成し、ガイドローラ３０が嵌入孔に嵌入することにより、扉の上端側を上枠の前面側に引き寄せるようにした。【選択図】　図７
2004113258.tif 000002
【特許請求の範囲】
【請求項１】
ハンガーによってスライド自在に吊り下げられた１枚の扉により出入口を開閉し、扉が閉じるときに扉を前記出入口の周囲を形成する上枠及び竪枠側に引き寄せて前記出入口に対して扉を気密状態に保持する防火扉装置であって、
扉の上端に固定した可動部材とハンガーの下端に固定した連結部材とを、軸によって扉の厚み方向に可動部材が移動可能に連結し、連結部材に対し可動部材を扉の厚み方向の一方向に付勢するばねを設け、
前記可動部材には、鉛直軸に支持されたローラを設け、
前記ハンガーによる吊り下げ部を包むボックス内にガイドレールを設けて、このガイドレールに前記ローラが当接するように構成し、
前記ガイドレールには、扉が閉じられた状態において前記ローラが嵌入する嵌入部を形成し、
扉が閉じられた状態において扉の戸尻側が位置する近傍の床面に、鉛直軸に支持されたローラを設け、このローラには回転自在なレバーを設け、
扉の戸尻側下端部には、扉が閉じられた状態において前記レバーに当接してこのレバーを扉の厚み方向の一方向に突出させる当接部材を設け、
扉の下端部には、扉を構成する前板と後板とに挟まれた位置に、扉が閉じられた状態において前記レバーが当接する当接板を設け、
前記扉の厚み方向の他方向側に位置する前板側には、扉が閉じられた状態において前記床面に設けたローラが嵌入する嵌入部を形成し、
扉が閉じられた状態において、前記当接部材によりレバーを前記当接板側に突出させて当接板に当接させるとともに、前記床面に設けたローラを前記嵌入部に嵌入させることにより、扉の下端側を扉の厚み方向の一方向側に引き寄せるように構成した
ことを特徴とする防火扉装置。
【請求項２】
前記扉の戸先側の側面に凹部を形成し、扉が閉じられた状態において戸先側の側面が当接する当接枠側には、前記凹部に嵌入して扉の戸先側を前記扉の厚み方向の一方向側に引き寄せるレバーを設けたことを特徴とする請求項１記載の防火扉装置。
【請求項３】
ハンガーによってスライド自在に吊り下げられた２枚の扉により出入口を開閉し、各扉が閉じるときに各扉を前記出入口の周囲を形成する上枠及び竪枠側に引き寄せて前記出入口に対して扉を気密状態に保持する防火扉装置であって、
各扉の上端に固定した可動部材とハンガーの下端に固定した連結部材とを、軸によって扉の厚み方向に可動部材が移動可能に連結し、連結部材に対し可動部材を扉の厚み方向の一方向に付勢するばねを設け、
前記可動部材には、鉛直軸に支持されたローラを設け、
前記ハンガーによる吊り下げ部を包むボックス内にガイドレールを設けて、このガイドレールに前記ローラが当接するように構成し、
前記ガイドレールには、各扉が閉じられた状態において前記ローラが嵌入する嵌入部を形成し、
各扉が閉じられた状態において各扉の戸尻側が位置する近傍の床面に、鉛直軸に支持されたローラを設け、このローラには回転自在なレバーを設け、
各扉の戸尻側下端部には、各扉が閉じられた状態において前記レバーに当接してこのレバーを扉の厚み方向の一方向に突出させる当接部材を設け、
扉の下端部には、各扉を構成する前板と後板とに挟まれた位置に、各扉が閉じられた状態において前記レバーが当接する当接板を設け、
前記扉の厚み方向の他方向側に位置する前板側には、各扉が閉じられた状態において前記床面に設けたローラが嵌入する嵌入部を形成し、
各扉が閉じられた状態において、前記当接部材によりレバーを前記当接板側に突出させて当接板に当接させるとともに、前記床面に設けたローラを前記嵌入部に嵌入させることにより、各扉の下端側を扉の厚み方向の一方向側に引き寄せるように構成し、
かつ、少なくとも一方の扉には、戸先側の側面に沿って気密部材を設けた
ことを特徴とする防火扉装置。
【発明の詳細な説明】
【０００１】
【発明の属する技術分野】
本発明は、建物の通路、エレベータの昇降口などの出入口に設けられて火災時に出入口から煙などが流出するのを防ぐための防火扉装置に関するものである。
【０００２】
【従来の技術】
従来、防火扉装置としては、例えば実開昭６１−１４８３５２号公報には扉の上端に扉の横長さ方向と平行な水平軸芯の周りで揺動可能なリンク部材を設け、このリンク部材を介して戸車付きのハンガーを設け、このハンガーに設けた戸車を建物側のレール上に走行可能に載せて扉がレール上でスライドするように構成し、扉のスライド時に扉を出入口に設けた枠から離すために建物側に設けたガイドレールに当接するガイドローラを設け、前記ガイドレールには扉が閉した状態において前記ガイドローラが嵌入する凹部を設けて出入口に対して扉を気密状態に保持するようにしたものが知られている。
【０００３】
【特許文献１】
実開昭６１−１４８３５２号公報
【０００４】
【発明が解決しようとする課題】
しかし、この防火扉装置では、揺動可能なリンク部材を用いるものであるから、構造が複雑になるという問題点があった。
【０００５】
そこで、本発明は前記問題点を解決するものであって、簡単な構造で、出入口に対して扉を気密状態に保持することができる防火扉装置を提供することを課題とするものである。
【０００６】
【課題を解決するための手段】
前記問題点を解決するために、本発明のうち請求項１に記載の発明は、ハンガーによってスライド自在に吊り下げられた１枚の扉により出入口を開閉し、扉が閉じるときに扉を前記出入口の周囲を形成する上枠及び竪枠側に引き寄せて前記出入口に対して扉を気密状態に保持する防火扉装置であって、扉の上端に固定した可動部材とハンガーの下端に固定した連結部材とを、軸によって扉の厚み方向に可動部材が移動可能に連結し、連結部材に対し可動部材を扉の厚み方向の一方向に付勢するばねを設け、前記可動部材には、鉛直軸に支持されたローラを設け、前記ハンガーによる吊り下げ部を包むボックス内にガイドレールを設けて、このガイドレールに前記ローラが当接するように構成し、前記ガイドレールには、扉が閉じられた状態において前記ローラが嵌入する嵌入部を形成し、扉が閉じられた状態において扉の戸尻側が位置する近傍の床面に、鉛直軸に支持されたローラを設け、このローラには回転自在なレバーを設け、扉の戸尻側下端部には、扉が閉じられた状態において前記レバーに当接してこのレバーを扉の厚み方向の一方向に突出させる当接部材を設け、扉の下端部には、扉を構成する前板と後板とに挟まれた位置に、扉が閉じられた状態において前記レバーが当接する当接板を設け、前記扉の厚み方向の他方向側に位置する前板側には、扉が閉じられた状態において前記床面に設けたローラが嵌入する嵌入部を形成し、扉が閉じられた状態において、前記当接部材によりレバーを前記当接板側に突出させて当接板に当接させるとともに、前記床面に設けたローラを前記嵌入部に嵌入させることにより、扉の下端側を扉の厚み方向の一方向側に引き寄せるように構成したことを特徴とするものである。
【０００７】
前記構成によれば、１枚の扉により出入口を開閉するようにした防火扉装置において、扉の厚み方向の一方向にばねにより付勢されている可動部材に設けたローラが、扉が閉じられた状態において、ガイドレールに形成した嵌入部に嵌入することにより、扉の上端側が扉の厚み方向の一方向、すなわち上枠の前面側に引き寄せられる。それと同時に、当接部材によりレバーが当接板側に突出されて、当接板に当接するとともに、床面に設けたローラが扉の前板側に形成した嵌入部に嵌入することにより、扉の下端側が扉の厚み方向の一方向、すなわち竪枠の前面側に引き寄せられる。
【０００８】
したがって、１枚の扉により出入口を開閉するようにした防火扉装置において、簡単な構造でありながら、扉を出入口の周囲を形成する上枠及び竪枠側に確実に引き寄せることができ、出入口に対して扉を気密状態に保持することができる。
【０００９】
また、請求項２に記載の発明は、前記構成において、前記扉の戸先側の側面に凹部を形成し、扉が閉じられた状態において戸先側の側面が当接する当接枠側には、前記凹部に嵌入して扉の戸先側を前記扉の厚み方向の一方向側に引き寄せるレバーを設けたことを特徴とするものである。
【００１０】
前記構成によれば、扉の戸先側を扉の厚み方向の一方向側に確実に引き寄せることができる。
さらに、請求項３に記載の発明は、ハンガーによってスライド自在に吊り下げられた２枚の扉により出入口を開閉し、各扉が閉じるときに各扉を前記出入口の周囲を形成する上枠及び竪枠側に引き寄せて前記出入口に対して扉を気密状態に保持する防火扉装置であって、各扉の上端に固定した可動部材とハンガーの下端に固定した連結部材とを、軸によって扉の厚み方向に可動部材が移動可能に連結し、連結部材に対し可動部材を扉の厚み方向の一方向に付勢するばねを設け、
前記可動部材には、鉛直軸に支持されたローラを設け、前記ハンガーによる吊り下げ部を包むボックス内にガイドレールを設けて、このガイドレールに前記ローラが当接するように構成し、前記ガイドレールには、各扉が閉じられた状態において前記ローラが嵌入する嵌入部を形成し、各扉が閉じられた状態において各扉の戸尻側が位置する近傍の床面に、鉛直軸に支持されたローラを設け、このローラには回転自在なレバーを設け、各扉の戸尻側下端部には、各扉が閉じられた状態において前記レバーに当接してこのレバーを扉の厚み方向の一方向に突出させる当接部材を設け、扉の下端部には、各扉を構成する前板と後板とに挟まれた位置に、各扉が閉じられた状態において前記レバーが当接する当接板を設け、前記扉の厚み方向の他方向側に位置する前板側には、各扉が閉じられた状態において前記床面に設けたローラが嵌入する嵌入部を形成し、各扉が閉じられた状態において、前記当接部材によりレバーを前記当接板側に突出させて当接板に当接させるとともに、前記床面に設けたローラを前記嵌入部に嵌入させることにより、各扉の下端側を扉の厚み方向の一方向側に引き寄せるように構成し、かつ、少なくとも一方の扉には、戸先側の側面に沿って気密部材を設けたことを特徴とするものである。
【００１１】
前記構成によれば、２枚の扉により出入口を開閉するようにした防火扉装置において、扉の厚み方向の一方向にばねにより付勢されている可動部材に設けたローラが、各扉が閉じられた状態において、ガイドレールに形成した嵌入部に嵌入することにより、各扉の上端側が扉の厚み方向の一方向、すなわち上枠の前面側に引き寄せられる。それと同時に、当接部材によりレバーが当接板側に突出されて、当接板に当接するとともに、床面に設けたローラが扉の前板側に形成した嵌入部に嵌入することにより、各扉の下端側が扉の厚み方向の一方向、すなわち竪枠の前面側に引き寄せられる。そして、少なくとも一方の扉の戸先側の側面に沿って設けた気密部材により、各扉の戸先側同士の間隙が塞がれる。
【００１２】
したがって、２枚の扉により出入口を開閉するようにした防火扉装置において、簡単な構造でありながら、各扉を出入口の周囲を形成する上枠及び竪枠側に確実に引き寄せることができ、出入口に対して扉を気密状態に保持することができる。さらに、各扉の戸先側同士の間隙を塞さぐことができる。
【００１３】
【発明の実施の形態】
以下、本発明の実施の形態における防火扉装置について詳細に説明する。
本発明の一実施の形態における防火扉装置を図１〜図１６に基づいて説明する。この防火扉装置は、例えばエレベータの昇降口のエレベータホール側に設けられる。
【００１４】
この防火扉装置においては、図１〜図２に示すように、扉は一方側にスライドする１枚の引戸１から形成されている。
また、エレベータ側の上方には、図３、図４に示すように、引戸１を吊り下げるハンガー２などを収納するボックス３が設けられ、このボックス３の下端部には、引戸１の厚みよりも大きな長尺状の開口部４が形成され、ボックス３の下端部における開口部４の後側が上枠５になっている。そして、前記上枠５と、戸先側に設けられた戸先側竪枠６と、戸袋７に連設された戸尻側竪枠８と、下枠９とにより四方が囲まれた出入口Ｅが形成されている。前記下枠９の表面が床面Ｙになっている。
【００１５】
なお、図１、図２においては、前記ボックス３を構成する前面板３ａを取り外した状態を示している。
さらに、前記ボックス３内には、前記ハンガー２が収納されるとともに、このハンガー２には戸車１０が取り付けられ、この戸車１０は、ブラケット１１によりボックス３内の背面板３ｂ側に取り付けたレール１２上に走行可能に載せられている。そして、引戸１は、戸先側と戸尻側とでそれぞれハンガー２に吊り下げられ、その上端部を前記開口部４の間に位置せしめて左右にスライドして出入口Ｅを開閉するようになっている。
【００１６】
そして、この防火扉装置においては、火災時に引戸１を閉じるときに、引戸１の上端側を前記上枠５の前面側に引き寄せる上端引寄せ装置１５と、引戸１の下端側を前記戸尻側竪枠８の前面側に引き寄せる下端引寄せ装置１６と、引戸１の戸先側を戸先側竪枠６の前面側に引き寄せる戸先引寄せ装置１７を備えている。
【００１７】
前記上端引寄せ装置１５は、図７〜図１０に示すように、連結部材２０と、可動部材２１を備えており、連結部材２０は、ハンガー２の下端に固定されている。この連結部材２０は、断面が下向きコ字状に形成され、互いに平行に配置された第１鉛直板２０ａと第２鉛直板２０ｂを有する。連結部材２０の第１鉛直板２０ａと第２鉛直板２０ｂのうち、前記ボックス３の前面板３ａ側に位置する第１鉛直板２０ａには、第１鉛直板２０ａから第２鉛直板２０ｂ側に向けて水平にボルト２２が設けられ、このボルト２２に支持された圧縮ばね２３が前記可動部材２１に形成されたばね挿入孔２１ａに挿入されている。
【００１８】
さらに、前記第１鉛直板２０ａと第２鉛直板２０ｂとは、前記圧縮ばね２３の両側で一対の水平軸２４により連結されている。そして、可動部材２１内には、前記水平軸２４よりも大径の筒状体２５が取り付けられており、この筒状体２５を介して、可動部材２１が前記水平軸２４に移動自在に支持されている。
【００１９】
これにより、可動部材２１は、圧縮ばね２３により付勢されて、第１鉛直板２０ａ側から第２鉛直板２０ｂ側に移動するようになっている。
また、前記可動部材２１の下端部には、鉛直軸２９に回転自在に支持されたガイドローラ３０が取り付けられている。前記鉛直軸２９は、ボックス３の背面板３ｂ側に向けて突出したアーム２８に設けられている。したがって、前記ガイドローラ３０は、ボックス３の背面板３ｂ側に向けて突出している。そして、前記アーム２８は、調整プレート２７上に調整ボルト２６により、ボックス３の背面板３ｂ側への突出長さが調整可能に設けられている。
【００２０】
さらに、前記調整プレート２７の下には、取付けプレート３１を介して取付け板３２が設けられている。
そして、前記取付け板３２により引戸１の上端が支持されている。
【００２１】
すなわち、引戸１は、前記連結部材２０と可動部材２１とを介して、ハンガー２に吊り下げられている。
ところで、引戸１の戸先側と戸尻側とでは、前記ガイドローラ３０の高さ位置が異なるように取り付けられている。戸先側のガイドローラ３０は、戸尻側のガイドローラ３０よりも高い位置になるように、取り付けられている。すなわち、戸尻側のガイドローラ３０は、図１０に示すように、戸先側のガイドローラ３０よりも低い位置になるように、取り付けられている。
【００２２】
そして、前記ボックス３内の背面板３ｂ側には、前記ガイドローラ３０が当接するガイドレール３３が設けられており、引戸１のスライド時においては、ガイドローラ３０がガイドレール３３の表面に当接して前記上枠５との間で所定の間隔が保持される。さらに、前記ガイドレール３３には、引戸１が閉じたときに、前記ガイドローラ３０が嵌入する嵌入孔３４が形成されている。この嵌入孔３４は、前記ガイドローラ３０の高さ位置に対応して、戸先側のガイドローラ３０が嵌入する嵌入孔３４は高い位置に、戸尻側のガイドローラ３０が嵌入する嵌入孔３４は低い位置に形成されている。
【００２３】
したがって、引戸１が閉じるときには、前記圧縮ばね２３により背面板３ｂ側すなわち上枠５側に付勢されている可動部材２１が、ガイドローラ３０が嵌入孔３４に嵌入することにより上枠５の前面側に移動し、それに伴って引戸１の上端側が上枠５側の前面側に引き寄せられる。そして、上枠５の前面に沿って設けたゴムなどからなる長尺状の気密部材３５により、引戸１の上端側と上枠５との間の間隙が塞がれる。
【００２４】
また、前記下端引寄せ装置１６は、床面Ｙに固定されて引戸１の下端部を支持する下端支持ローラ４０と、この下端支持ローラ４０に取り付けられた下端引寄せレバー４１と、引戸１の戸尻側下端部に取り付けられて前記下端引寄せレバー４１に当接する当接部材４２と、前記下端引寄せレバー４１が当接する当接板４３とから構成されている。
【００２５】
前記下端支持ローラ４０は、図１１に示すように、取付け板４４に取り付けた鉛直軸４５に支持され、この鉛直軸４５には、前記下端引寄せレバー４１が回転自在に支持されている。また、この下端引寄せレバー４１の先端側に設けた鉛直軸４６には、当接ローラ４７が回転自在に支持されている。さらに、前記下端引寄せレバー４１は、前記鉛直軸４５の軸受け部４５ａに巻かれたばね４８により、図１１（ａ）において反時計方向に回転するように付勢され、前記当接ローラ４７を支持する鉛直軸４６が取付け板４４に設けた規制ピン４９により前記方向への回転が規制されている。なお、５０は、前記鉛直軸４６が前記方向と逆方向に回転する範囲を規制するための規制ピンである。
【００２６】
さらに、図１２、図１３に示すように、前記当接部材４３は、水平な上板部５１と、この上板部５１の長さ方向の一端側に沿って垂設された側板部５２と、前記上板部５１の幅方向の一端側に沿って垂設された当接部５３とから形成されている。
【００２７】
そして、図１４（ａ）に示すように、引戸１の下端部には、引戸１の前板５４と後板５５とに連結された断面逆Ｕ字状のフレーム５６が引戸１の幅方向に沿って設けられている。このフレーム５６には、その長さ方向に沿って前記当接板４３が垂設されている。すなわち、引戸１の下端部には、当接板４３が引戸１の前板５４と後板５５との間に挟まれて、これらと平行に設けられている。
【００２８】
さらに、引戸１の戸尻側下端部には、前記当接部材４２が取り付けられている。すなわち、当接部材４２の当接部５３を引戸１の戸尻側の側面に対向するように位置させるとともに、側板部５２を引戸１の前板５４側に位置させ、側板部５２をねじ５７にて引戸１の前板５４とフレーム５６とに固定することにより、取り付けられている。この側板部５２には、図１３に示すように、前記ねじ５７を通す長孔５２ａが穿設されており、この長孔５２ａにより当接部材４２の取付け位置を調整するようになっている。なお、５８はねじ受け板である。
【００２９】
さらに、前記前板５４とフレーム５６の前板５４側部分の下端部には、それぞれ切欠部５９、６０が形成されている。また、前記後板５５の下端部には、先端部が床面Ｙに接触して引戸１と床面Ｙとの間隙を塞ぐ長尺状の気密部材６２が垂設されている。
【００３０】
そして、引戸１が閉じた状態において引戸１の戸尻側が位置する近傍の床面Ｙには、下端支持ローラ４０が引戸１の前板５４側に位置し、下端支持ローラ４０に設けた下端引寄せレバー４１が当接板４３側に位置するように取り付けられている。そして、下端引寄せレバー４１は、前記規制ピン４９により回転が規制され、引戸１の戸尻側下端部に設けた当接部５３側に向けて所定角度だけ傾斜しており、その状態で前記当接板４３との間に僅かな隙間を形成するように設けられている。これにより、引戸１のスライド時においては、下端引寄せレバー４１は当接板４３との間に僅かな隙間が保持されている。
【００３１】
したがって、引戸１を閉じるときには、引戸１の上端側が前記上端引寄せ装置１５により上枠５の前面側に引き寄せられ、それに伴って、図１４（ｂ）に示すように、前記下端引寄せレバー４１に前記当接部５３が当接することにより、下端引寄せレバー４１が前記当接板４３側に突出して当接板４３に当接すると同時に、前記下端支持ローラ４０が前記フレーム４３に形成した切欠部６０に嵌入し、これにより、下端支持ローラ４０と下端支持レバー４１とにより当接板４３が戸尻側竪枠８の前面側に押され、引戸１の戸尻側が戸尻側竪枠８の前面側に引き寄せられる。そして、戸尻側竪枠８の前面に設けた気密部材６１により、引戸１の戸尻側と戸尻側竪枠８との間の間隙が塞がれるとともに、前記気密部材６２により、引戸１と床面Ｙとの間隙が塞さがれる。
【００３２】
なお、ここでは、下端支持ローラ４０がフレーム４３に形成した切欠部６０に嵌入した場合について述べたが、前記上端引寄せ装置１５による引戸１の上端側の引寄せ距離に応じて、下端支持ローラ４０をフレーム４３に形成した切欠部６０と前板５４に形成した切欠部５９とに嵌入させるようにする。
【００３３】
さらに、戸先引寄せ装置１７は、引戸１の戸先側側面に設けられる戸先引寄せ具６５と、戸当り枠６６側に設けられる戸先引寄せレバー装置６７とから構成されている。そして、前記戸先引寄せ具６５は、引戸１の戸先側側面の下端部近傍に設けられており、戸先引寄せレバー装置６７は、戸当り枠６６側の前記戸先引寄せ具６５と対応する位置に設けられている。
【００３４】
前記戸先引寄せ具６５は、図１５に示すように、断面がＶ字状になった凹部６８を有している。
また、前記戸先引寄せレバー装置６７は、図１６に示すように、ケーシング７０に設けた鉛直軸７１に戸先引寄せレバー７２が回転自在に支持されるとともに、この戸先引寄せレバー７２には軸受け部７３に巻回したばね７４の先端部が弾接してばね力が付勢されており、戸先引寄せレバー７２の先端部には、ローラ７５が鉛直軸７６にて回転自在に支持されている。７７は化粧プレートを示す。
【００３５】
そして、前記戸先引寄せ具６５は、凹部６８が戸当り枠６６側に向くように、、引戸１の戸先側側面に設けられている。
また、前記戸先引寄せレバー装置６７は、前記鉛直軸７１が前記凹部６８の谷底部（凹部６８の中心）６９に対して偏心するように設けられ、引寄せレバー７２は、凹部６８の谷底部６９に対して所定角度傾斜するとともに、ローラ７５の中心が凹部６８の谷底部６９と一致するように、戸当り枠６６側に設けられている。
【００３６】
これにより、引戸１が閉じるときに、ローラ７５が戸先引寄せ具６５の凹部６８に嵌入して当接するとともに、引寄せレバー７２が戸先側竪枠６側に回転し、それによって引戸１の戸先側が戸先側竪枠６の前面側に引き寄せられる。それと同時に、戸先側竪枠６の前面に設けた気密部材６１により、引戸１の戸先側と戸先側竪枠６との間の間隙が塞がれる。
【００３７】
さらに、前記レール１２の上方に設けたフレーム８０には、戸当り枠６６側において、ぜんまいばねを駆動源とする自動閉塞装置８１が設けられており、自動閉塞装置８１から引き出されたワイヤ（図示せず）が引戸１の戸先側に設けたハンガー２に連結され、自動閉塞装置８１により引戸１が自動的に閉じるようになっている。
【００３８】
また、前記フレーム８０には、開放保持装置８２が設けられており、この開放保持装置８２には、引戸１の戸先側に設けたハンガー２に取り付けられた係合金具（図示せず）と係合するストップレバー（図示せず）が設けられ、引戸１が開かれた状態においてストップレバーが係合金具に係合するようにストップレバーを内部の駆動装置により作動させている。また、火災時に図外の煙感知器等が働くことによって前記開放保持装置８２の駆動装置が働いて前記ストップレバーが係合金具から外れるようになっている。このようにストップレバーが係合金具から外れると、引戸１はレール２に吊り下げられた状態で前記自動閉塞装置８１により閉じられる。
【００３９】
また、前記フレーム８０には、引戸１を閉じるときの衝撃を緩和するための油圧などより作動する衝撃緩和装置８３が設けられている。
前記構成において、火災時に煙感知器が働いて開放保持装置８２が作動すると、引戸１は、レール１２に吊り下げられた状態で自動閉塞装置８１により、閉方向にスライドする。引戸１のスライド時においては、前記各ガイドローラ３０が、圧縮ばね２３によりガイドレール３３側に付勢された状態でガイドレール３３を転動することにより、引戸１は、上枠５、戸先側竪枠６及び戸尻側竪枠８との間に所定の間隔を保った状態で、スライドする。
【００４０】
そして、引戸１を閉じるときには、圧縮ばね２３により上枠５側に付勢されている可動部材２１は、ガイドローラ３０が嵌入孔３４に嵌入することにより上枠５の前面側に移動し、それに伴って引戸１の上端側が上枠５側の前面側に引き寄せられる。それと同時に、下端引寄せレバー４１と下端支持ローラ４０とにより、引戸１の戸尻側下端側が戸尻側竪枠８側に引き寄せられ、また、戸先引寄せレバー７２により、引戸１の戸先側が戸先側竪枠６側に引き寄せられる。そして、上枠５に設けた気密部材３５により、引戸１の上端側と上枠５との間の間隙が塞がれ、戸先側竪枠６、戸尻側竪枠８にそれぞれ設けた気密部材６１により、引戸１の戸先側、戸尻側と、戸先側竪枠６、戸尻側竪枠８との間の間隙が塞がれ、引戸１の下端側に設けた気密部材６２により、引戸１の下端側と床面Ｙとの間の間隙が塞がれる。これによって、出入口Ｅ側に対して引戸１の気密状態に保持される。
【００４１】
本実施の形態によれば、出入口Ｅを一方側に閉じる引戸１において、引戸１の上端側が上端引寄せ装置１５により上枠５側に、引戸１の戸尻下端側が下端引寄せ装置１６により戸尻側竪枠８側に、引戸１の戸先側が戸先引寄せ装置１７により戸先側竪枠６側に、それぞれに引き寄せることができ、引戸１を出入口Ｅに対して気密状態に保持することができる。さらに、気密部材３５、６１、６２を設けたことにより、前記気密状態をより一層向上させることができる。
【００４２】
なお、本実施の形態では、戸先引寄せ装置１７を構成する戸先引寄せ具６５を引戸１の戸先側側面の下端部近傍に設けるとともに、戸先引寄せレバー装置６７を戸先引寄せ具６５と対応させて戸当り枠６６の下端部近傍に設けた例を示したが、戸先引寄せ具６５を戸先側側面の上端部近傍又戸先側側面の上下方向の中央部、あるいは戸先側側面の上下方向の複数箇所に設け、戸当り枠６６側にはこれと対応するように戸先引寄せレバー装置６７を設けることもできる。また、戸先引寄せ装置１７は必ずしも設けなくてもよい。
【００４３】
次に、本発明の他実施の形態における防火扉装置を図１７〜図２０に基づいて説明する。この防火扉装置は前記実施の形態と同様に例えばエレベータの昇降口のエレベータホール側に設けられる。なお、前記実施の形態と同一機能を有するものについては、同一符号を付して説明を省略し、あるいは図示することなく符号にみにて説明する。
【００４４】
この防火扉装置においては、図１７〜図１８に示すように、扉は２枚の引戸１Ａ、引戸１Ｂとからなり、左右両側にスライドする両引戸に形成されている。そいて、上枠５、両竪枠１３、下枠９とにより四方が囲まれて出入口Ｅが形成されている。また、上枠５の前面側には気密部材３５が、両竪枠１３の前面側には、気密部材６１が設けられている。また、引戸１Ａ、引戸１Ｂの下端には、気密部材６２が設けられている。
【００４５】
この防火扉装置では、引戸１Ａ、引戸１Ｂの戸先側と戸尻側のハンガー２には、前記実施の形態と同様に、引戸１Ａ、引戸１Ｂをそれぞれ上枠５の前面側に引き寄せる上端引寄せ装置１５を備えている。そして、ガイドレール３３には、引戸１Ａ、引戸１Ｂが閉じたときに、上端引寄せ装置１５のガイドローラ３０がそれぞれ嵌入する嵌入孔３４が形成されている。
【００４６】
また、図１９に示すように、引戸１Ａの戸尻側には、前記実施の形態と同様に、引戸１Ａの下端側を竪枠１３の前面側に引き寄せるための下端引寄せ装置１６が設けられている。また、図１９においては省略してあるが、引戸１Ｂの戸尻側には、引戸１Ａと対称位置に前記下端引寄せ装置１６が設けられている。
【００４７】
さらに、図１９、２０に示すように、引戸１Ａ、引戸１Ｂの戸先側側面にはそれに沿って引戸１Ａと引戸１Ｂとが突き合わされる段部８６がそれぞれ形成されており、これらの段部８６にはそれぞれ長尺状の気密部材８７が設けられ、引戸１Ａ、引戸１Ｂが閉じられて突き合わされたときに、両引戸１Ａ、１Ｂの突合せ面において、気密部材８７により引戸１Ａと引戸１Ｂとの間の間隙が塞がれるようになっている。
【００４８】
また、引戸１Ａ、引戸１Ｂが連動してスライドするように、フレーム８０に設けられた一対のローラ８４に巻回された無端ワイヤ８５に、引戸１Ａ、引戸１Ｂの戸先側に設けたハンガー２が連結されている。
【００４９】
前記構成において、引戸１Ａ、１Ｂを閉じるときには、前記実施の形態と同様に、引戸１Ａ、１Ｂの上端側がそれぞれ上端引寄せ装置１５により上枠５の前面側に引き寄せられ、引戸１Ａ、１Ｂの下端側がそれぞれ下端引寄せ装置１６により竪枠１３の前面側に引き寄せられ、また、気密部材８７により引戸１Ａと引戸１Ｂとの間の間隙が塞がれる。これにより、出入口Ｅに対して引戸１Ａ、１Ｂが気密状態を保持される。さらに、竪枠１３、１３にそれぞれ設けた気密部材６１により、引戸１Ａ、１Ｂの戸尻側と竪枠１３、１３との間の間隙が塞がれ、引戸１Ａ、１Ｂに下端側に設けた気密部材６２により、引戸１Ａ、１Ｂの下端側と床面Ｙとの間の間隙がそれぞれ塞がれる。
【００５０】
本実施の形態によれば、出入口Ｅを両側から閉じる２つの引戸１Ａ、１Ｂにおいて、引戸１Ａ、１Ｂの上端側が上端引寄せ装置１５により上枠５側に、引戸１Ａ、１Ｂの下端側が下端引寄せ装置１６により竪枠１３側に、それぞれに引き寄せることができる。また、気密部材８７により引戸１Ａと引戸１Ｂとの間の間隙を塞ぐことができる。これにより、引戸１Ａ、引戸１Ｂを出入口Ｅに対して気密状態に保持することができる。さらに、気密部材３５、６１、６２を設けたことにより、前記気密状態をより一層向上させることができる。
【００５１】
本発明の防火扉装置は、エレベータの出入口の他、通常の通路などの出入口に設けることができる。
【００５２】
【発明の効果】
以上述べたように、請求項１に記載の発明によれば、１枚の扉により出入口を開閉するようにした防火扉装置において、簡単な構造でありながら、扉を出入口の周囲を形成する上枠及び竪枠側に確実に引き寄せることができ、出入口に対して扉を気密状態に保持することができる。
【００５３】
また、請求項２に記載の発明によれば、扉の戸先側を扉の厚み方向の一方向側に確実に引き寄せることができる。
さらに、請求項３に記載の発明によれば、２枚の扉により出入口を開閉するようにした防火扉装置において、簡単な構造でありながら、各扉を出入口の周囲を形成する上枠及び竪枠側に確実に引き寄せることができ、出入口に対して扉を気密状態に保持することができる。さらに、各扉の戸先側同士の間隙を塞さぐことができる。
【図面の簡単な説明】
【図１】本発明の一実施の形態における防火扉装置の開放状態を示す正面図である。
【図２】同防火扉装置の閉塞状態を示す正面図である。
【図３】同防火扉装置の開放状態を示す側断面図である。
【図４】同防火扉装置の閉塞状態を示す側断面図である。
【図５】同防火扉装置の閉塞状態を示す平面断面である。
【図６】同防火扉装置の閉塞状態を示す平面断面である。
【図７】同防火扉装置における引戸の戸先側に設けた上端引寄せ装置を示す正面図である。
【図８】同上端引寄せ装置の構成部品を示す側面図である。
【図９】同上端引寄せ装置の側面図である。
【図１０】同上端引寄せ装置の側面図である。
【図１１】同防火扉装置における下端引寄せ装置の下端支持ローラと下端引寄せレバーを示し、（ａ）はその平面図、（ｂ）はその正面図である。
【図１２】同下端引寄せ装置の当接部材を示す斜視図である。
【図１３】同当接部材を示し、（ａ）はその正面図、（ｂ）はその平面図、（ｃ）はその側面図である。
【図１４】同下端引寄せ装置の取付け状態を示し、（ａ）は開放状態の側面断面図、（ｂ）は閉塞状態の側面断面図である。
【図１５】同防火扉装置における戸先引寄せ装置の構成部品を示し、（ａ）はその側面図、（ｂ）はその正面図である。
【図１６】同防火扉装置における戸先引寄せ装置の構成部品を示し、（ａ）はその側面断面図、（ｂ）はその正面図である。
【図１７】本発明の他実施の形態における防火扉装置の開放状態を示す正面図である。
【図１８】同防火扉装置の閉塞状態を示す正面図である。
【図１９】同防火扉装置の閉塞状態を示す平面断面図である。
【図２０】同防火扉装置の閉塞状態を示す平面断面図である。
【符号の説明】
１、１Ａ、１Ｂ　引戸
２　　ハンガー
３　　ボックス
４　　開口部
５　　上枠
６　　戸先側竪枠
７　　戸袋
８　　戸尻側竪枠
９　　下枠
１０　戸車
１２　レール
１３　竪枠
１５　上端引寄せ装置
１６　下端引寄せ装置
１７　戸先引寄せ装置
２０　連結部材
２０ａ　第１鉛直板
２０ｂ　第２鉛直板
２１　可動部材
２２　ボルト
２３　圧縮ばね
２４　水平軸
２５　筒状体
２６　調整ボルト
２８　アーム
２９　鉛直軸
３０　ガイドローラ
３２　取付け板
３３　ガイドレール
３４　嵌入孔
３５　気密部材
４０　下端支持ローラ
４１　下端引寄せレバー
４２　当接部材
４３　当接板
４４　取付け板
４５　鉛直軸
４５ａ　軸受け部
４６　鉛直軸
４７　当接ローラ
４８　ばね
４９　規制ピン
５０　規制ピン
５２　側板部
５３　当接部
５６　フレーム
５７　ねじ
５９　切欠部
６０　切欠部
６１　気密部材
６２　気密部材
６５　戸先引寄せ金具
６６　戸当り枠
６７　戸先引寄せレバー装置
７０　ケーシング
７１　鉛直軸
７２　戸先引寄せレバー
７３　軸受け部
７４　ばね
７５　ローラ
７６　鉛直軸
８７　気密部材
Ｅ　　出入口
Ｙ　　床面
【図１】
2004113258.tif 000003
【図２】
2004113258.tif 000004
【図３】
2004113258.tif 000005
【図４】
2004113258.tif 000006
【図５】
2004113258.tif 000007
【図６】
2004113258.tif 000008
【図７】
2004113258.tif 000009
【図８】
2004113258.tif 000010
【図９】
2004113258.tif 000011
【図１０】
2004113258.tif 000012
【図１１】
2004113258.tif 000013
【図１２】
2004113258.tif 000014
【図１３】
2004113258.tif 000015
【図１４】
2004113258.tif 000016
【図１５】
2004113258.tif 000017
【図１６】
2004113258.tif 000018
【図１７】
2004113258.tif 000019
【図１８】
2004113258.tif 000020
【図１９】
2004113258.tif 000021
【図２０】
2004113258.tif 000022